(57)【要約】【課題】低コストで釣糸案内体の交換等が行えるとともに、放出抵抗の軽減が図れ、安定した糸巻が行える釣糸案内体を備えた魚釣用リールを提供する。【解決手段】魚釣用リールは、スプール５Ａから繰り出される釣糸を挿通させる釣糸挿通部６０Ａと、左右側板間に配設されるウォームシャフト５１と係合する本体部６０Ｂとを備え、ウォームシャフトが回転駆動することにより左右側板間で往復移動する釣糸案内体６０、及び、スプール５Ａを釣糸巻き取り状態と釣糸放出状態に切り換えるクラッチ機構２０を有する。釣糸案内体６０は、スプール５Ａの前方で、釣糸放出状態と釣糸巻き取り状態との間で切り換え移動可能に支持されるとともに、釣糸挿通部６０Ａと本体部６０Ｂとは分割して一体化されている。【選択図】図１
2014103930.tif 000002
【特許請求の範囲】
【請求項１】
リール本体の左右側板間に回転自在に支持されたスプールと、
前記スプールから繰り出される釣糸を挿通させる釣糸挿通部と、前記左右側板間に配設されるウォームシャフトと係合する本体部とを備え、前記ウォームシャフトが回転駆動することにより前記左右側板間で往復移動する釣糸案内体と、
前記スプールを釣糸巻き取り状態と釣糸放出状態に切り換えるクラッチ機構と、
を有する魚釣用リールにおいて、
前記釣糸案内体は、前記スプールの前方で、釣糸放出状態と釣糸巻き取り状態との間で切り換え移動可能に支持されるとともに、前記釣糸挿通部と本体部とは分割して一体化されていることを特徴とする魚釣用リール。
【請求項２】
前記釣糸挿通部と本体部とは、着脱可能に一体化されていることを特徴とする請求項１に記載の魚釣用リール。
【請求項３】
前記釣糸案内体は、前記クラッチ機構のＯＮ／ＯＦＦ動作に連動して、釣糸巻き取り状態と釣糸放出状態となるように回動可能に支持されており、
前記釣糸挿通部は、釣糸巻き取り状態で釣糸をスプールに案内する左右方向に幅狭の釣糸案内部と、釣糸放出状態で釣糸の放出抵抗を軽減する左右方向に幅広の開口部とを具備していることを特徴とする請求項１又は２に記載の魚釣用リール。
【請求項４】
前記釣糸案内部は、前記開口部の下部中央位置から下方に向けて延出して形成されており、
前記釣糸案内体には、前記クラッチ機構がＯＦＦ状態からＯＮ状態に切り換えられて釣糸案内体が回動した際、前記釣糸に当接して釣糸を前記釣糸案内部から離脱させない規制部が形成されていることを特徴とする請求項３に記載の魚釣用リール。
【請求項５】
リール本体の左右側板間に回転自在に支持されたスプールと、
前記スプールから繰り出される釣糸を挿通させる釣糸挿通部と、前記左右側板間に配設されるウォームシャフトと係合する本体部とを備え、前記ウォームシャフトが回転駆動することにより前記左右側板間で往復移動する釣糸案内体と、
前記スプールを釣糸巻き取り状態と釣糸放出状態に切り換えるクラッチ機構と、
を有する魚釣用リールにおいて、
前記釣糸挿通部は、前記本体部に対して着脱可能に一体化されるとともに、釣糸巻き取り状態で釣糸をスプールに案内する左右方向に幅狭の釣糸案内部と、釣糸放出状態で釣糸の放出抵抗を軽減する左右方向に幅広の開口部と、を具備しており、
前記リール本体には、前記クラッチ機構がＯＮになった際、前記釣糸に当接して釣糸を前記釣糸案内部から離脱させないように移動する当接部材が設けられていることを特徴とする魚釣用リール。
【請求項６】
前記リール本体の上部に、前記クラッチ機構のＯＮ／ＯＦＦ動作に連動して、上下方向に開閉可能なカバー部材を配設しており、
前記カバー部材に前記当接部材を設けたことを特徴とする請求項５に記載の魚釣用リール。
【発明の詳細な説明】
【技術分野】
【０００１】
本発明は、スプール前方の側板間に、スプールに釣糸を平行に巻回案内する釣糸案内体を備えた魚釣用リールに関する。
【背景技術】
【０００２】
従来、両軸受型タイプの魚釣用リールには、左右側板間に回転可能に支持されたスプールに対して釣糸を均等に巻回するように、レベルワインド装置が配設されている。このレベルワインド装置は、一方の側板側に回転可能に配設されたハンドルの巻き取り操作に連動して、スプール前方で回転するウォームシャフトと、このウォームシャフトに係合して左右に往復動する釣糸案内体を備えており、前記釣糸案内体の釣糸挿通部に釣糸が挿通されることで、スプールに対して釣糸を平行に巻回することが可能となっている。
【０００３】
ところで、上記した釣糸案内体は、例えば、仕掛けをキャスティングするとき、釣糸が接触して抵抗となってしまい、仕掛けの飛距離を低下させてしまうという問題がある。また、釣糸をスプールに巻回するときは、安定した糸巻状態が確保できるように、釣糸案内体部分で釣糸が変位しないようにする必要がある。そこで、例えば、特許文献１には、釣糸案内体の釣糸案内部の形状を、上部では左右方向に横長形状にして釣糸放出時における釣糸挿通部（幅広の開口部）とし、下部では中央を幅狭の釣糸案内用の溝部として釣糸巻き取り時の案内部とした構成が開示されている。そして、釣糸案内体の前後方向の近傍に、クラッチの切換操作に連動して上下方向に移動可能なピラーを配設し、釣糸放出時（クラッチＯＦＦ時）では、ピラーを上方に移動させて釣糸を釣糸挿通部に位置させて糸抵抗を軽減し、釣糸巻き取り時（クラッチＯＮ時）では、ピラーを下方に移動させて釣糸を幅狭の溝部に案内し、スプールに巻回される糸巻状態を向上するようにしている。
【先行技術文献】
【特許文献】
【０００４】
【特許文献１】特開２０１２−７０６８３号
【発明の概要】
【発明が解決しようとする課題】
【０００５】
上記したように、釣糸放出時に釣糸の放出抵抗の軽減が図れ、かつ、安定した糸巻を実現するためには、釣糸案内体の構成が重要であり、そのような複合した機能を有する釣糸案内体には、低コスト化する上で改良すべき余地がある。特に、釣糸案内体に関しては、対象魚、釣法等によって、例えば、径が太いライン用／径が細いライン用、摺動バランス重視／糸巻形状重視、全体として軽量化を図る、といったように釣糸案内体に対するユーザの好みが様々であり、それに応じて、ユーザ好みの釣糸案内体（釣糸挿通部）にするには、コストが高くなってしまう。
【０００６】
本発明は、上記した問題に着目してなされたものであり、低コストで釣糸案内体の交換等が行えるとともに、放出抵抗の軽減が図れ、安定した糸巻が行える釣糸案内体を備えた魚釣用リールを提供することを目的とする。
【課題を解決するための手段】
【０００７】
上記した目的を達成するために、本発明に係る魚釣用リールは、リール本体の左右側板間に回転自在に支持されたスプールと、前記スプールから繰り出される釣糸を挿通させる釣糸挿通部と前記左右側板間に配設されるウォームシャフトと係合する本体部とを備え、前記ウォームシャフトが回転駆動することにより前記左右側板間で往復移動する釣糸案内体と、前記スプールを釣糸巻き取り状態と釣糸放出状態に切り換えるクラッチ機構と、を有しており、前記釣糸案内体は、前記スプールの前方で、釣糸放出状態と釣糸巻き取り状態との間で切り換え移動可能に支持されるとともに、前記釣糸挿通部と本体部とは分割して一体化されていることを特徴とする。
【０００８】
上記した構成の魚釣用リールによれば、釣糸案内体を構成する釣糸挿通部と本体部が分割して一体化されているため、例えば、釣糸挿通部は釣糸抵抗の軽減が図れる硬質の金属材で形成し、本体部は軽量化が図れる樹脂材で形成する等、釣糸案内体の構成材料を効果的に使い分けることができ、コストダウンを図るとともに全体的に軽量化を図ることが可能となる。また、前記釣糸案内体は、スプールの前方側で、釣糸放出状態と釣糸巻き取り状態との間で切り換え移動可能に支持されていることから、釣糸放出状態では、釣糸の放出抵抗が少ない位置、釣糸巻き取り状態では、安定してスプールに釣糸を案内できる位置に切り換えすることが可能となる。  
【０００９】
なお、分割して一体化される釣糸挿通部と本体部は、ビス等の固定部材、両部材の圧入や弾性的な変形手段等を用いて、互いに着脱可能に一体化される構成であっても良い。このように両者を着脱可能に構成することで、修理や糸種、用途に応じて釣糸挿通部のみを容易に交換することが可能となる。
【００１０】
また、上記した目的を達成するために、本発明に係る魚釣用リールは、リール本体の左右側板間に回転自在に支持されたスプールと、前記スプールから繰り出される釣糸を挿通させる釣糸挿通部と前記左右側板間に配設されるウォームシャフトと係合する本体部とを備え、前記ウォームシャフトが回転駆動することにより前記左右側板間で往復移動する釣糸案内体と、前記スプールを釣糸巻き取り状態と釣糸放出状態に切り換えるクラッチ機構と、を有しており、前記釣糸挿通部は、前記本体部に対して着脱可能に一体化されるとともに、釣糸巻き取り状態で釣糸をスプールに案内する左右方向に幅狭の釣糸案内部と、釣糸放出状態で釣糸の放出抵抗を軽減する左右方向に幅広の開口部と、を具備しており、前記リール本体には、前記クラッチ機構がＯＮになった際、前記釣糸に当接して釣糸を前記釣糸案内部から離脱させないように移動する当接部材が設けられていることを特徴とする。
【００１１】
上記した構成の魚釣用リールによれば、釣糸案内体を構成する釣糸挿通部と本体部が着脱可能に一体化されているため、例えば、釣糸挿通部は釣糸抵抗の軽減が図れる硬質の金属材で形成し、本体部は軽量化が図れる樹脂材で形成する等、釣糸案内体の構成材料を効果的に使い分けることができ、コストダウンを図るとともに全体的に軽量化を図ることが可能となる。また、釣糸挿通部と本体部は、着脱可能に一体化されているため、修理や糸種、用途に応じて釣糸挿通部のみを容易に交換することが可能となる。さらに、釣糸挿通部は、釣糸巻き取り状態で釣糸をスプールに案内する左右方向に幅狭の釣糸案内部と、釣糸放出状態で釣糸の放出抵抗を軽減する左右方向に幅広の開口部と、を具備しており、前記リール本体には、前記クラッチ機構がＯＮになった際、前記釣糸に当接して釣糸を前記釣糸案内部から離脱させないように移動する当接部材が設けられているため、釣糸放出状態では、釣糸は幅広の開口部に位置して放出抵抗が少なくなり、かつ、釣糸巻き取り状態では、釣糸は幅狭の釣糸案内部に位置して、安定してスプールに巻回される。
【発明の効果】
【００１２】
本発明によれば、低コストで釣糸案内体の交換等が行えるとともに、放出抵抗の軽減が図れ、安定した糸巻が行える釣糸案内体を備えた魚釣用リールが得られる。
【図面の簡単な説明】
【００１３】
【図１】本発明に係る魚釣用リールの第１の実施形態を示し、釣糸案内体部分を露出させた平面図。
【図２】図１に示す魚釣用リールにおいて、クラッチ機構の動力伝達部分の構成を示す側面図（クラッチＯＮ状態）。
【図３】図１に示す魚釣用リールにおいて、クラッチ機構の動力伝達部分の構成を示す側面図（クラッチＯＦＦ状態）。
【図４】クラッチプレートと釣糸案内体を回動させる回動プレートとの連結部分の構造を示す断面図。
【図５】図１に示す魚釣用リールのＡ−Ａ線に沿った断面図であり、釣糸案内体が釣糸巻き取り状態（クラッチＯＮ状態）にあるときを示す図。
【図６】図１に示す魚釣用リールのＡ−Ａ線に沿った断面図であり、釣糸案内体が釣糸放出状態（クラッチＯＦＦ状態）にあるときを示す図。
【図７】釣糸案内体を拡大して示す斜視図。
【図８】図７に示す釣糸案内体を分解した状態を示す斜視図。
【図９】図７に示す釣糸案内体の正面図。
【図１０】本発明に係る魚釣用リールの第２の実施形態を示し、リール本体に設けられるカバー体とクラッチ機構との関係を示す概略側面図。
【図１１】図１０に示す魚釣用リールにおいて、釣糸案内体に釣糸が挿通した状態を示す側面図（クラッチＯＮ状態）。
【図１２】図１０に示す魚釣用リールのレベルワインド装置部分の正面図（クラッチＯＮ状態）。
【図１３】図１０に示す魚釣用リールのレベルワインド装置部分の正面図（クラッチＯＦＦ状態）。
【発明を実施するための形態】
【００１４】
以下、図面を参照しながら本発明に係る魚釣用リールについて説明する。  
【００１５】
図１から図３は、本発明に係る魚釣用リールの第１の実施形態を示す図であり、図１は、釣糸案内体部分を露出させた平面図、図２は、クラッチ機構の動力伝達部分の構成を示す側面図（クラッチＯＮ状態）、そして、図３は、クラッチ機構の動力伝達部分の構成を示す側面図（クラッチＯＦＦ状態）である。なお、以下において、前後方向、左右方向、及び上下方向は、図１および図２で示す方向で定義する。
【００１６】
本実施形態に係る魚釣用リールは、左右のフレーム２ａ，２ｂを左右カバー３ａ，３ｂで覆った左右側板１Ａ，１Ｂを備えたリール本体１を有している。前記リール本体には、左右側板間に位置し、図示しない釣竿に装着されるリール脚１Ｃが一体形成されている。また、前記左右のフレーム２ａ，２ｂ間には、スプール軸５が軸受を介して回転可能に支持されており、スプール軸５には、釣糸が巻回されるスプール５Ａが一体的に固定されている。さらに、前記左右側板間には、スプール５Ａに対して上方側に、指を載置可能なサムレスト１Ｄが設けられている。
【００１７】
本実施形態では、前記スプール５Ａを回転駆動するハンドル８を右側板１Ｂ側に設置しており、右フレーム２ｂと右カバー３ｂとの間の空間には、ハンドル８の回転駆動力をスプール軸５に伝達する公知の動力伝達機構１０が配設されている。また、右フレーム２ｂと右カバー３ｂとの間には、スプール軸５を動力伝達状態と動力遮断状態に切り換える公知のクラッチ機構２０が配設されており、このクラッチ機構２０は、スプール５Ａの後方側の左右側板間に配設されたクラッチ切り換え操作部材（以下、操作部材と称する）２１を押し下げ操作することで、クラッチＯＮ状態（動力伝達状態であり釣糸巻き取り状態）からＯＦＦ状態（動力遮断状態であり、釣糸放出状態）に切り換えるようになっている。なお、クラッチＯＦＦ状態からクラッチＯＮ状態への復帰は、後述する自動復帰機構３０によってハンドル８を回転操作することで行うことが可能となっている。
【００１８】
また、左右の側板１Ａ，１Ｂ間には、スプール５Ａの釣糸繰出し方向側に、レベルワインド装置５０が配設されている。このレベルワインド装置５０は、前記ハンドル８を回転操作することで、釣糸を挿通する釣糸案内体６０が左右に往復移動するよう構成されており、釣糸の巻き取り操作に伴って、スプール５Ａに対して釣糸を均等に巻回する機能を有する。この場合、釣糸案内体６０は、後述するように、実際に釣糸が挿通する部分（釣糸挿通部６０Ａ）と、レベルワインド装置を構成するウォームシャフト（螺軸）に係合する本体部（保持部）６０Ｂとを備えており、本体部６０Ｂ、詳細には、本体部６０Ｂに組み込まれている摺動子（係合ピン）がウォームシャフトに係合することで左右に往復動される。
【００１９】
前記駆動力伝達機構１０は、ハンドル８が固定されたハンドル軸８ａにドラグ機構と関連して回転可能に装着された駆動歯車１１と、この駆動歯車１１に噛合するピニオン１２とを備えている。前記ピニオン１２は、スプール軸５と同軸上に設置されており、スプール軸５（別体のスプール軸であっても良い）に沿って軸方向に移動可能となっている。また、ピニオン１２の外周には、円周溝１２ａが形成されており、この円周溝１２ａに、後述するクラッチ機構２０のヨーク２２が係合して、ピニオン１２を軸方向に移動させるようになっている。すなわち、ピニオン１２が軸方向に移動することで、スプール軸５との間で継脱がなされ、動力伝達状態（クラッチＯＮ）／動力遮断状態（クラッチＯＦＦ）に切り換えられるようになっている。
【００２０】
前記クラッチ機構２０は、右フレーム２ｂに対して回動可能に支持され、振り分けバネ２３によって、図２に示す動力伝達状態（クラッチＯＮ状態）と、図３に示す動力遮断状態（クラッチＯＦＦ状態）に振り分け保持されるクラッチプレート２５を備えている。このクラッチプレート２５は、右フレーム２ｂに上下方向に形成された連結孔２ｄを介して前記操作部材２１と連結されており、クラッチプレート２５に形成された長孔２５ａに、右フレーム２ｂに突出するように設けられたピン２ｅが挿入されて、その回動駆動が案内されるようになっている。
【００２１】
前記クラッチプレート２５の表面には、前記ピニオン１２の円周溝１２ａに係合したヨーク２２と係合可能な一対のカム面２６が形成されている。前記ヨーク２２の先端側は、右フレーム２ｂに突設された支持ピン２７によって保持されており、ヨーク２２は、各支持ピンに配設されたバネ部材（図示せず）によって常時、クラッチプレート２５側に付勢された状態となっている。なお、図２は、ヨーク２２がバネ部材によってクラッチプレート２５側に付勢された状態を示しており、このとき、ピニオン１２はスプール軸の端部に形成されている係合部に嵌合してクラッチＯＮ状態となっている。
【００２２】
前記クラッチプレート２５は、操作部材２１が、図２の矢印に示すように押下げ操作されると反時計回り方向に回動され、前記カム面２６、及びヨーク２２を介して、ピニオン１２をスプール軸の端部に形成されている係合部から離脱させ、図３に示すように、クラッチＯＦＦ状態に切り換える。なお、この状態は、前記振り分けバネ２３によって保持される。
【００２３】
また、前記クラッチプレート２５には、クラッチをＯＦＦ状態からＯＮ状態にする自動復帰機構３０が設けられている。この自動復帰機構３０は、クラッチプレートに一体的に設けられるキック部材３１と、前記ハンドル軸８ａに回り止め固定されるラチェット３２とを備えており、前記キック部材３１は、クラッチＯＮからクラッチＯＦＦに切り換えると、図３に示すように、ラチェット３２の回転軌跡内に侵入するように配置、構成されている。このため、クラッチＯＦＦ状態において、前記ハンドル８を巻き取り操作すると、ラチェット３２の回転により、キック部材３１はキックされ、自動的にクラッチプレート２５をクラッチＯＮ状態の位置に復帰させて、振り分けバネ２３のバネ力で保持する。なお、クラッチの復帰は、前記操作部材２１を押し上げ操作しても行うことが可能である。
【００２４】
前記スプール５Ａの前方側の左右側板間には、前記レベルワインド装置５０が配置されている。以下、レベルワインド装置５０の構成について、図４から図９を併せて参照しながら説明する。なお、これらの図において、図４は、クラッチプレートと釣糸案内体を回動させる回動プレートとの連結部分の構造を示す断面図、図５は、図１に示す魚釣用リールのＡ−Ａ線に沿った断面図であり、釣糸案内体が釣糸巻き取り状態（クラッチＯＮ状態）にあるときを示す図、図６は、釣糸案内体が釣糸放出状態（クラッチＯＦＦ状態）にあるときを示す図、図７は、釣糸案内体を拡大して示す斜視図、図８は、図７に示す釣糸案内体を分解した状態を示す斜視図、そして、図９は、図７に示す釣糸案内体の正面図である。
【００２５】
前記レベルワインド装置５０は、スプール５Ａに巻回された釣糸Ｓを挿通させる釣糸案内体６０を備えており、この釣糸案内体６０は、軸受５２（図４参照）を介して左右側板間に回転可能に支持され、前記駆動力伝達機構１０を介して回転可能に駆動されるウォームシャフト（螺軸）５１によって、左右往復駆動されるよう構成されている。すなわち、前記ウォームシャフト５１の右フレーム側には、前記ハンドル軸８ａに装着された駆動歯車１１と隣接して配設されてハンドル軸８ａと一体的に回転する連結ギア（図示せず）と噛合する入力ギア５３が設けられており、前記ウォームシャフト５１は、連結ギア及び入力ギア５３を介してハンドル８の回転駆動と同期して回転駆動されるようになっている。
【００２６】
前記ウォームシャフト５１は、左右側板間に回動可能に保持される管状体（筒体）５５内に収容された状態となっており、前記管状体５５の外面には、軸方向に延出する長孔５５ａが形成され、前記ウォームシャフト５１の表面に形成された螺旋溝５１ａを軸方向に沿って部分的に露出させている。また、前記釣糸Ｓを挿通させる釣糸案内体６０は、釣糸が挿通する釣糸挿通部６０Ａと、本体部６０Ｂを一体的に備えており、前記本体部６０Ｂが前記管状体５５を囲繞するように、配置、形成されている。
【００２７】
前記本体部６０Ｂは、軽量化が図れる材料、例えば、樹脂材によって一体形成されており、前方側に向けて突出形成された突起部６１ａ内に摺動子６２を保持している。この摺動子６２は、突起部６１ａに嵌合される袋ナット６３によって、前記本体部６０Ｂに対して固定される。また、本体部６０Ｂには、挿通孔６１ｂが形成されており、前記管状体５５が挿通されて、前記摺動子６２が管状体５５の長孔５５ａを介して螺旋溝５１ａと係合される。すなわち、前記釣糸案内体６０は、ウォームシャフト５１の回転によって、螺旋溝５１ａと摺動子６２との係合関係によって、軸方向に沿って移動することが可能となっている。
【００２８】
また、前記釣糸案内体６０は、ウォームシャフト５１が回転した際、螺旋溝５１ａと摺動子６２との係合関係によって軸方向に沿って移動しつつ、管状体５５の回りを回転しないように、回り止めされている。本実施形態の構成では、前記管状体５５の外周に、軸方向に沿って延出する回り止め部５５ｂを形成しており、回り止め部５５ｂに対して、本体部６０Ｂに一体形成された係合部６１ｃを係合させることで、回り止めを果たしている。具体的には、回り止め部５５ｂは、管状体５５の外周に、軸方向に延出する突起（図５，図６に示すように、１８０°間隔で一対設けられている）として構成されており、係合部６１ｃは、そのような突起が入り込むように、前記挿通孔６１ｂに沿って延出し１８０°間隔で一対設けられた凹部として構成されている。
【００２９】
上記のように、ウォームシャフト５１を収容する管状体５５に回り止め部５５ｂを一体形成することで、従来のように、釣糸案内体６０を回り止めするガイド軸を配設する必要がなくなり、レベルワインド装置の構造を簡素化することが可能となる。
【００３０】
また、釣糸案内体６０は、前記ウォームシャフト５１が回転駆動されると、摺動子６２を介して左右側板間で往復駆動されると共に、本実施形態では、上述したクラッチ機構２０のＯＮ／ＯＦＦに連動して釣糸巻き取り状態と釣糸放出状態との間で切り換え可能に支持されている。具体的には、釣糸案内体６０は、スプール５Ａの前方で前後方向に回動可能に支持されており、前記管状体５５を回動駆動することで、釣糸案内体６０は、釣糸巻き取り状態と釣糸放出状態との間で回動されるようになっている。
【００３１】
ここでクラッチ機構２０から管状体５５への動力伝達経路について具体的に説明する。
【００３２】
前記クラッチプレート２５には、リール本体の前方側に向けて突出する突片２５ｂが形成されており、その先端には、右フレーム側に向けて突出する係合突起２５ｃが一体形成されている。一方、右フレーム２ｂには、前記ウォームシャフト５１が支持される部分に回動プレート５９が保持されており、前記管状体５５は、右フレーム２ｂの内面側において、回動プレート５９と回り止め固定されている。すなわち、回動プレート５９には、径方向に突出する凸部５９ａが形成されており、この凸部５９ａに、管状体５５の端部に形成された凹部５５ｃが嵌合することで、両者は、右フレーム２ｂの内面側で固定された状態（一体回動可能な状態）となっている。
【００３３】
前記回動プレート５９は、前記ウォームシャフト５１を回転可能に支持する軸受５２の外輪と右フレーム２ｂとの間で回動可能に支持されており、右フレーム２ｂの外面側に沿って、前記クラッチプレート２５の突片２５ｂと係合する連結片５９ｂが形成されている。そして、連結片５９ｂには、長孔５９ｃが形成されており、この長孔５９ｃに、前記クラッチプレート２５の突片２５ｂの係合突起２５ｃが遊挿されることで、回動プレート５９は、図２及び図３に示すように、クラッチプレート２５の回動に伴ってウォームシャフト５１の軸芯を中心に回動されるようになっている。したがって、回動プレート５９は、振り分けバネ２３によって、釣糸巻き取り状態と釣糸放出状態との間で振り分け保持されるクラッチプレート２５と共に、２つの位置で切り換えられるようになっている。
【００３４】
前記釣糸案内体６０は、回動プレート５９を介して、管状体５５が回動駆動されることで、スプールの前方において、前後方向に回動駆動される。ここで、釣糸案内体６０を構成する釣糸挿通部６０Ａの構成について具体的に説明する。
【００３５】
釣糸挿通部６０Ａは、スプール５Ａからの釣糸Ｓを挿通させる部分であり、ＳＵＳ、チタン等の釣糸抵抗が少ない材料によるフレーム体６０Ｆとして一体形成されている。具体的に、本実施形態の釣糸挿通部６０Ａは、左右方向に幅狭の釣糸案内部６７と、その釣糸案内部６７の上方側で、略対称となるように左右方向に拡がる幅広の開口部６８とを備えており、釣糸案内部６７は、開口部６８の下部中央位置から下方に向けて延出した両壁６７ａによって、上下方向に延出する幅狭の細溝状となっている。
【００３６】
すなわち、前記開口部６８の下側中央に形成される左右方向に幅狭となった釣糸案内部６７は、そこに入り込んだ釣糸Ｓの左右方向のブレを防止して、スプール５Ａに対して、安定して釣糸を平行巻きする機能（糸巻状態を向上する機能）を有し、釣糸案内部６７の上方で左右方向に拡がる幅広の開口部６８は、釣糸放出時に釣糸との接触を抑制して、糸抵抗を軽減する機能（仕掛けの放出性を向上する機能）を有する。
【００３７】
前記開口部６８は、釣糸放出状態となったときの正面視（挿通される釣糸Ｓに沿って前方から見た正面視）で、左右方向に拡がる略楕円形状となるように形成されており、その両サイド壁は、開口部６８の略中央の下部に形成される釣糸案内部６７に向けて傾斜して釣糸Ｓを案内する傾斜案内面６８ａとなっている。
【００３８】
前記開口部６８、及び釣糸案内部６７を有するフレーム体６０Ｆは、釣糸放出状態で側面視した際、前後方向に対して傾斜した状態（後方側に向けて次第に立ち上がる形状）となっており、開口部６８を形成する上壁６８ｂは、釣糸放出状態では、前後方向に沿った状態となって、可能な限り広い開口を確保できるようになっている（図６参照）。したがって、開口部６８を形成する前後方向に沿った上壁６８ｂの後端縁６９は、釣糸放出状態から釣糸巻き取り状態に回動した際、開口部６８内に挿通されている釣糸Ｓに対して、上側から当接できる位置関係となっており、釣糸Ｓを規制する規制部としての機能を有する（以下、後端縁を規制部６９と称する）。
【００３９】
なお、規制部６９は、フレーム体６０Ｆとして一体形成される部分であり、釣糸案内体６０が前記クラッチ機構２０に連動して、釣糸放出状態から釣糸巻き取り状態に回動した状態で正面視した際、前記釣糸案内部６７の上下長さの範囲内となるような配置関係となっていれば良い。すなわち、このような配置関係となっていれば、釣糸案内体６０が、釣糸放出状態から釣糸巻き取り状態に回動すると、開口部６８のいずれかの部分に位置する釣糸Ｓは、規制部６９によって押し付けられ、傾斜案内面６８ａに沿って確実に釣糸案内部６７に案内することが可能となる。また、このような位置関係となっていれば、釣糸巻き取り状態で、釣糸Ｓを確実に釣糸案内部６７から離脱しないようにすることができる。
【００４０】
前記本体部６０Ｂは、上述したように、樹脂材等によって一体形成されており、前記フレーム体６０Ｆとは別体として構成されている。すなわち、釣糸案内体６０は、異なる材料によって形成されたフレーム体６０Ｆ（釣糸挿通部６０Ａ）と本体部６０Ｂが分割して一体化されており、これにより、釣糸案内体６０は、全体として軽量化を図りつつ、コストの低減を図っている。
【００４１】
前記本体部６０Ｂと釣糸挿通部６０Ａは、それぞれを別体として形成しておき、これらを一体化（接着等による一体化）しても良いが、本実施形態では、両者は着脱可能に一体化されている。具体的には、本体部６０Ｂに、フレーム体を受ける受け部６１ｄを形成すると共に、釣糸挿通部６０Ａ（フレーム体６０Ｆ）に受け部６１ｄに当て付いて位置決めされる当接部６７ｄを形成している。この場合、当接部６７ｄは、前記釣糸案内部６７を規定する両壁６７ａの下面によって構成され、受け部６１ｄは、そのような下面が当て付く面として構成され、両者は互いに面接する平坦面として形成されている。また、受け部６１ｄには、嵌合穴６１ｅが形成され、当接部６７ｄには、嵌合穴６１ｅに嵌合する嵌合突部６７ｅが形成されている。そして、本体部６０Ｂには、前記挿通孔６１ｂと平行となるようにビス孔６１ｆが形成されており、係合突起６７ｅにも、係合突起６７ｅを嵌合穴６１ｅに嵌め込んだ際、ビス孔６１ｆと同軸上にビス孔６７ｆが形成されている。
【００４２】
これにより、釣糸挿通部６０Ａの係合突起６７ｅを、本体部６０Ｂの嵌合穴６１ｅに嵌め込み（図８及び図９の矢印参照）、当接部６７ｄを受け部６１ｄに当て付けて両者を位置決めした状態で、固定部材（ビス）６０Ｃを螺入することで、釣糸挿通部６０Ａと本体部６０Ｂは、着脱可能に一体化される。すなわち、本実施形態の釣糸挿通部６０Ａは、本体部６０Ｂに対して容易に着脱することが可能となっている。
【００４３】
次に、上述したように構成される魚釣用リールの作用、及び効果について説明する。  
【００４４】
図２及び図５に示すクラッチＯＮ状態において、スプール５Ａの後方側に位置する操作部材２１を押し下げ操作すると、前記クラッチ機構２０を構成するクラッチプレート２５は、反時計回りに回動され、振り分けバネ２３によって、図３に示す状態に保持される。このとき、クラッチプレート２５の表面に形成されたカム面２６がヨーク２２を軸方向にシフトさせ、ピニオン１２をスプール軸５から離脱させる（クラッチＯＦＦ状態）。また、この操作によるクラッチプレート２５の回動に伴って、前記回動プレート５９は、ウォームシャフト５１の軸芯を中心に回動され、これに回り止めされている管状体５５は、図２（図５）に示す位置から、図３（図６）に示す位置に回動される。
【００４５】
したがって、前記釣糸案内体６０は、管状体５５に保持されていることから、図５に示す状態から、図６に示すように回動される。そして、このように回動された釣糸案内体６０は、スプール５Ａがフリー回転可能な状態（釣糸放出状態）となっており、前記釣糸案内部６７に入り込んでいる釣糸Ｓは、規制部６９による規制が外れ、開口部６８に移動する。通常、釣糸放出状態では、スプール５Ａに対する釣糸の巻回量が多いため、規制部６９の規制が外れることで、釣糸は、直ちに開口部６８に移動することができる。
【００４６】
この状態で、スプール５Ａはフリー回転可能となっており、キャスティング操作等により、釣糸Ｓは放出される。この場合、釣糸案内体６０は、スプール５Ａの前方において、図６に示す状態に回動されており、その開口部６８は、左右方向に幅広状に形成されていることから、その内面から接触抵抗を受けることが少なくなり、仕掛けの飛距離を低下させるようなことはない。すなわち、釣糸を放出する際に、釣糸案内体６０からの放出抵抗を軽減することが可能となる。
【００４７】
そして、クラッチ機構２０をＯＮ復帰させるべく、ハンドル８を巻き取り操作すると、前記自動復帰機構３０によって、クラッチプレート２５は、図２に示す位置に自動復帰する。このクラッチプレート２５のＯＮ状態の復帰に伴って、管状体５５は、前記回動プレート５９を介して、図２及び図５に示す状態に回動され、釣糸案内体６０は、図５に示す位置に切り換えられる。このとき、前記開口部６８のいずれかの部分に位置している釣糸は、回動する規制部６９が当て付いて押し付けられ、開口部６８の傾斜案内面６８ａに沿って確実に中央に位置する釣糸案内部６７に案内される。また、釣糸巻き取り状態では、釣糸は、規制部６９によって釣糸案内部６７から離脱することはない。
【００４８】
その後、ハンドル８を巻き取り操作することで、上記したレベルワインド装置５０のウォームシャフト５１は、ハンドル軸８ａに設けられた連結ギア、及びこれに噛合する入力ギア５３を介して回転駆動される。前記ウォームシャフト５１が回転駆動されることで、釣糸案内体６０は、ウォームシャフト５１の外周面に形成された螺旋溝５１ａと係合する摺動子６２を介して、管状体５５に沿って左右往復動される。この場合、管状体５５の外周には、軸方向に沿って延出する回り止め部５５ｂが形成されているため、釣糸案内体６０は、軸回りに回転することなく、左右に往復駆動される。これにより、釣糸Ｓは、左右方向に幅狭となった釣糸案内部６７によって、スプール５Ａに対して、安定して平行巻きされ、さらには、規制部６９の位置によって、釣糸案内部６７から離脱することもないため、常時、安定した平行巻き状態が確保される。  
【００４９】
なお、スプール５Ａに対する釣糸Ｓの巻回量が少ない場合、例えば、釣糸を多量に放出した状態では、釣糸案内部６７に位置する釣糸Ｓは、規制部６９に接触していなくても良い。
【００５０】
そして、上記した釣糸案内体６０は、釣糸挿通部６０Ａと本体部６０Ｂが分割して一体化されており、釣糸挿通部６０Ａは釣糸抵抗の軽減が図れる硬質の金属材で、本体部６０Ｂは軽量化が図れる樹脂材で形成されて釣糸案内体の構成材料を効果的に使い分けしているため、コストダウンが図れ、全体的に軽量化を図ることが可能となる。特に、本実施形態の釣糸挿通部６０Ａと本体部６０Ｂは、固定部材（ビス）６０Ｃ等によって、互いに着脱可能に一体化されているため、修理や糸種、用途に応じて釣糸挿通部６０Ａのみを容易に交換することが可能となり、経済的でコストダウンを図ることができる。
【００５１】
次に、本発明の第２の実施形態について、図１０から図１３を参照して説明する。  
【００５２】
これらの図において、図１０は、リール本体に設けられるカバー体とクラッチ機構との関係を示す概略側面図、図１１は、図１０に示す魚釣用リールにおいて、釣糸案内体に釣糸が挿通した状態を示す側面図（クラッチＯＮ状態）、図１２は、図１０に示す魚釣用リールのレベルワインド装置部分の正面図（クラッチＯＮ状態）、そして、図１３は、図１０に示す魚釣用リールのレベルワインド装置部分の正面図（クラッチＯＦＦ状態）である。なお、第１の実施形態と同一の機能を有する部材については、同一の参照符号を付し、詳細な説明については省略する。
【００５３】
本実施形態では、リール本体１の上部に、クラッチ機構２０のＯＮ／ＯＦＦ動作に連動して、上下方向に開閉可能なカバー部材８０が配設されている。このカバー部材８０は、クラッチ機構２０の操作部材２１と一体的に形成することが可能であり、クラッチプレート２５とリール本体のフレームとの間に設けられた振り分けバネ２３によって、図１０及び図１１の実線で示すクラッチＯＮ状態と、鎖線で示すクラッチＯＦＦ状態に切り換え可能となっている。すなわち、カバー部材８０は、リール本体１の上部に配設されてサムレストとしての機能を果たすとともに、操作部材２１を押し下げ操作した際に、釣糸案内体６０側を上方に移動させて大きく開口し、スプール５Ａから放出される釣糸の接触抵抗を軽減させることが可能となっている。
【００５４】
レベルワインド装置５０を構成する釣糸案内体６０は、左右側板間に横架されたガイド軸８８によって回り止めされると共に、回動駆動されることなく左右方向に往復動可能に支持されており、釣糸案内体６０を構成する釣糸挿通部６０Ａと本体部６０Ｂが、上記した実施形態と同様な着脱構造によって着脱可能に一体化されている。すなわち、釣糸挿通部６０Ａは、ＳＵＳ、チタン等の釣糸抵抗が少ない材料によるフレーム体６０Ｆとして一体形成されており、本体部６０Ｂは、軽量化が図れるように樹脂材によって一体形成されている。また、釣糸挿通部６０Ａは、上記した実施形態と同様、左右方向に幅狭の釣糸案内部６７と、その釣糸案内部６７の上方側で、略対称となるように左右方向に拡がる幅広の開口部６８とを備えており、釣糸案内部６７は、開口部６８の下部中央位置に溝状に形成されている。
【００５５】
そして、前記カバー部材８０には、その裏面側に、左右方向に亘って横架される当接部材（ピラー）８５が設けられている。この当接部材８５は、カバー部材８０がクラッチＯＮ状態となったとき、図１１に示すように、スプール５Ａから繰り出される釣糸に当接して、釣糸Ｓを釣糸案内部６７に位置付けする機能を備えている。すなわち、クラッチＯＦＦ状態では、カバー部材８０の前方側が大きく開口し、釣糸Ｓは、当接部材８５の規制が外れて（図１３参照）、左右方向に幅広な開口部６８に移動し、これにより、釣糸放出時の抵抗が軽減される。また、クラッチＯＮ状態になると、カバー部材８０の前方側が閉じ、釣糸Ｓは、当接部材８５によって規制され（図１２参照）、左右方向に幅広な開口部６８の傾斜案内面６８ａに沿って釣糸案内部６７に移動し、これにより、スプール５Ａに対する巻き取り状態の安定化が図れる。
【００５６】
このような構成によれば、上記した実施形態と同様な作用効果が得られると共に、リール本体のロープロファイル化を実現することが可能となる。  
【００５７】
なお、本実施形態では、当接部材８５を開閉可能なカバー部材８０に設けて、クラッチＯＮ時に釣糸に当接するように構成したが、当接部材８５については、単独で上下動するような構成であっても良い。すなわち、開閉可能なカバー部材８０を設けることなく、クラッチ機構に連動して上下動する当接部材を設けた構成であっても良い。
【００５８】
以上、本発明の実施形態について説明したが、本発明は、上記した実施形態に限定されることはなく、種々変形することが可能である。
【００５９】
上記した第１の実施形態では、釣糸案内部６７を開口部６８の中央下部に形成したが、釣糸案内部６７が形成される位置については、開口部６８と連続して形成されていなくても良く、その形状についても適宜、変形することが可能である。例えば、釣糸案内部は、開口部６８を形成する上壁６８ｂのスプール側中央に溝状に形成しても良い。  
【００６０】
このような構成では、クラッチ機構がＯＦＦ状態からＯＮ状態に切り換えられて、釣糸案内体６０が回動した際、釣糸が上壁６８ｂに形成された溝状の釣糸案内部に案内されて離脱できないようにすることが可能となり、釣糸巻回時に、安定して釣糸をスプールに案内することが可能となる。また、このような構成では、開口部６８の上下寸法を可能な限り大きく形成することが可能となり、釣糸放出抵抗を極力、低減することが可能となる。
【００６１】
また、釣糸案内体６０については、スプール５Ａの前方で前後方向に回動駆動するのであれば、回動軸芯（ウォームシャフト５１の中心）からの距離や管状体５５の回動する角度に応じて下方にシフトさせる距離を適宜調整することができるため、規制部６９については、平坦状になったフレーム体６０Ｆの上壁６８ｂの後端縁で形成しなくても良い。すなわち、規制部については、釣糸挿通部６０Ａを構成するフレーム体６０Ｆのいずれかの部分を屈曲形成するなど、その形状については適宜変形することが可能である。
【００６２】
また、釣糸挿通部６０Ａと本体部６０Ｂを着脱可能に構成する場合、その着脱構造については、適宜変形することが可能である。上記した第１実施形態では、本体部６０Ｂの受け部６１ｄと釣糸挿通部６０Ａの当接部６７ｄを平坦面としたが、例えば、両者を凹凸形状にしても良いし、いずれかを弾性変形させて一体化したり、圧入するような構成であっても良い。このような構成によれば、ビス等を用いる必要がなく、着脱操作を容易に行なうことが可能となる。
【００６３】
さらに、釣糸挿通部の釣糸と接触する部分には、耐摩耗性を有すると共に、摺動抵抗の少ない部材（釣糸接触部材）を取着しておいても良い。このような釣糸接触部材を取着しておくことで、釣糸放出時や釣糸巻き取り時に釣糸が接触しても、切れることを防止でき、かつ接触抵抗を更に軽減することが可能となる。
【符号の説明】
【００６４】
１  リール本体
１Ａ，１Ｂ  左右側板
５  スプール軸
５Ａ  スプール
２０  クラッチ機構
５０  レベルワインド装置
５５  管状体
６０  釣糸案内体
６０Ａ  釣糸挿通部
６０Ｂ  本体部
６７  釣糸案内部
６８  開口部
【図１】
2014103930.tif 000003
【図２】
2014103930.tif 000004
【図３】
2014103930.tif 000005
【図４】
2014103930.tif 000006
【図５】
2014103930.tif 000007
【図６】
2014103930.tif 000008
【図７】
2014103930.tif 000009
【図８】
2014103930.tif 000010
【図９】
2014103930.tif 000011
【図１０】
2014103930.tif 000012
【図１１】
2014103930.tif 000013
【図１２】
2014103930.tif 000014
【図１３】
2014103930.tif 000015